(57)【要約】      （修正有）【課題】長時間同じ姿勢で寝ていても、患者らの体圧が常時分散すると共に、血流が改善される等の相乗効果により、床ずれを予防・改善するマットレスを提供する。【解決手段】細長状の素材が固い硬綿１の複数本を横方向に並列せしめ且全体を不織布で被覆し、並列状の硬綿１間の間隙部３に不織布が介在するように縫合して前記各硬綿１を包被して硬綿シート材ａを形成し、前記硬綿１の上方部４に遠赤外線を放射する遠赤外線放射綿シート材ｂを載置し、且遠赤外線放射綿シート材ｂの上方部に軟質ウレタン製上方シート材ｃを載置し、前記各シート材ａ、ｂ、ｃ全体を別設のカバーをもって被覆する。【選択図】図２
0003152665.tif 000002
【実用新案登録請求の範囲】
【請求項１】
細長状の素材が固い硬綿の複数本を横方向に並列せしめ且全体を不織布で被覆し、並列状の硬綿間の間隙部に不織布が介在するように縫合して前記各硬綿を包被して硬綿シート材を形成し、前記硬綿の上方部に遠赤外線を放射する遠赤外線放射綿シート材を載置し、且遠赤外線放射綿シート材の上方部に軟質ウレタン製上方シート材を載置し、前記各シート材全体を別設のカバーをもって被覆せしめることを特徴とする床ずれ予防マットレス。
【請求項２】
前記硬綿は断面が四辺形状をしていることを特徴とする請求項１に記載の床ずれ予防マットレス。
【請求項３】
前記硬綿は、断面が正方形状をしていることを特徴とする請求項１又は２に記載の床ずれ予防マットレス。
【請求項４】
前記各硬綿の間隙部に介在する前記不織布は、折曲時に余裕を持たせるためにひだ状にて形成することを特徴とする請求項１、２又は３に記載の床ずれ予防マットレス。
【請求項５】
前記硬綿シート材と、前記遠赤外線放射綿シート材と前記軟質ウレタン製上方シート材は、前記硬綿シート材を４ｃｍ、前記遠赤外線放射綿シート材を１ｃｍ、前記軟質ウレタン製上方シート材を３ｃｍの厚みにて形成することを特徴とする請求項１、２、３又は４に記載の床ずれ予防マットレス。
【考案の詳細な説明】
【技術分野】
【０００１】
本考案は、床ずれ予防マットレスの分野に関するものである。
【背景技術】
【０００２】
従来マットレス及びこのマットレスを用いたベッド装置が特開２００４−４１５１３公開特許公報として開示されている。
【０００３】
前記の開示された公開特許公報のマットレスは、マットレスを構成する上層１８の上面より下面方向に所定間隔を置いた溝２１を形成せしめると共に、下層１９にも、底面部より上面部方向に切込みの溝２１を所定間隔置きに形成されている。
【０００４】
そのため、前記した従来開示の特開２００４−４１５１３公開特許公報のマットレスの上層１８と下層１９には、夫々溝２１のみが所定間隔おきに設けられているだけで、前記した上層１８と下層１９は、細長いチップ状に分割されることなく、一枚のシート状になって形成されている。
【先行技術文献】
【特許文献】
【０００５】
【特許文献１】特開２００４−４１５１３公開特許公報
【考案の概要】
【考案が解決しようとする課題】
【０００６】
前記した従来開示の特開２００４−４１５１３公開特許公報のマットレスは、前記公報の段落（０００５）、（０００６）、（０００７）及び（０００８）に明記されているとおり、このマットレスは、クッション性を有すると共に、底付き感の発生を招かないように開発されたものであって、床ずれ予防を目的としたものではない。
【０００７】
しかるに、本考案のマットレスは、入院患者や自宅療養をしている高齢者らが、マットレスの上に、長時間同じ体勢で寝ていると、部分的に圧力が加わり続ける。そのため、その部分の血流が阻害され、皮膚に酸素が行き渡らなくなってしまい、最終的には皮膚が壊死してしまうという床ずれ現象が発生するのを予防せしめることを課題としている。
【０００８】
そのため本考案のマットレスは、前記した床ずれを予防するために、患者や高齢者らの皮膚を圧迫しないように、体圧を分散せしめると共に、前記のように体圧を分散せしめることによって血流を常時良好に確保せしめ、前記の体圧分散と血流の改良という相乗効果により、前記した患者や高齢者らの床ずれを防止したり、改善せしめることを課題としている。
【０００９】
さらに本考案のマットレスは、前記マットレスの構成部材の一つに、遠赤外線を放射する遠赤外線放射綿を使用して、前記遠赤外線放射綿から放射する遠赤外線によって、患者らの体を温めることにより、血流が良好となり、固くなった筋肉を和らげたりするようにした。
【００１０】
また本考案のマットレスは、介護用ベッド等の上に敷いても、構成素材として断続した硬綿の使用によって、前記マットレス全体のリクライニングが自由自在にできるようにした。
【課題を解決するための手段】
【００１１】
課題を解決するための手段として、請求項１記載の考案は、細長状の素材が固い硬綿１の複数本を横方向に並列せしめ且全体を不織布２で被覆し、並列状の硬綿１間の間隙部３に不織布２が介在するように縫合して前記各硬綿１を包被して硬綿シート材ａを形成し、前記硬綿１の上方部４に遠赤外線を放射する遠赤外線放射綿シート材ｂを載置し、且遠赤外線放射綿シート材ｂの上方部に軟質ウレタン製上方シート材ｃを載置し、前記各シート材ａ、ｂ、ｃ全体を別設のカバー５をもって被覆せしめることを特徴とする床ずれ予防マットレスである。
【００１２】
課題を解決するための手段として、請求項２記載の考案は、前記硬綿１は断面が四辺形状をしていることを特徴とする請求項１に記載の床ずれ予防マットレスである。
【００１３】
課題を解決するための手段として、請求項３記載の考案は、前記硬綿１は、断面が正方形状をしていることを特徴とする請求項１又は２に記載の床ずれ予防マットレスである。
【００１４】
課題を解決するための手段として、請求項４記載の考案は、前記各硬綿１の間隙部３に介在する前記不織布２は、折曲時に余裕を持たせるためにひだ状にて形成することを特徴とする請求項１、２又は３に記載の床ずれ予防マットレスである。
【００１５】
課題を解決するための手段として、請求項５記載の考案は、前記硬綿シート材ａと、前記遠赤外線放射綿シート材ｂと前記軟質ウレタン製上方シート材ｃは、前記硬綿シート材ａを４ｃｍ、前記遠赤外線放射綿シート材ｂを１ｃｍ、前記軟質ウレタン製上方シート材ｃを３ｃｍの厚みにて形成することを特徴とする請求項１、２、３又は４に記載の床ずれ予防マットレスである。
【考案の効果】
【００１６】
請求項１に記載の考案は、細長状の素材が固い硬綿１の複数本を横方向に並列せしめ且全体を不織布２で被覆し、並列状の硬綿１間の間隙部３に不織布２が介在するように縫合して前記各硬綿１を包被して硬綿シート材ａを形成し、前記硬綿１の上方部４に遠赤外線を放射する遠赤外線放射綿シート材ｂを載置し、且遠赤外線放射綿シート材ｂの上方部に軟質ウレタン製上方シート材ｃを載置し、前記各シート材ａ、ｂ、ｃ全体を別設のカバー５をもって被覆せしめる床ずれ予防マットレスなので、長時間同じ姿勢で寝ていても、３重層の構成部材と共に、下層を形成する左右両サイドに断面部が位置し、且平行状に並列する断続した硬綿によって、患者らの体圧が常時分散すると共に、血流が改善される等の相乗効果により、床ずれを予防・改善する利点を有している。
【００１７】
さらに本考案のマットレスは、中間層として遠赤外線放射綿を使用しているので、放射される遠赤外線が患者の体を温め、血流を良好にし、且固い筋肉を和らげる利点を有している。
【００１８】
また、本考案のマットレスは、三層構成部材の一つに、断面を四辺形状にカットした細長形状の硬綿を、上方及び下方より被覆する不織布の中、各硬綿間に、たるみを持たせた状態で縫合せしめているので、ベッド上に敷いているマットレスは自由にリクライニングできる利点を有している。
【００１９】
さらに、本考案は、３層構造によって形成されているので、材料費を著しく節減し、安価に制作し提供できる利点を有している。
【００２０】
請求項２に記載の考案は、前記硬綿１は断面が四辺形状をしている床ずれ予防マットレスなので、請求項１に記載の考案と同じ効果を有している。
【００２１】
請求項３に記載の考案は、前記硬綿１は、断面が正方形状をしている床ずれ予防マットレスなので、請求項１又は２に記載の考案と同じ効果を有している。
【００２２】
請求項４に記載の考案は、前記不織布２は、前記各硬綿１の間隙部３に介在する前記不織布２は、折曲時に余裕を持たせるためにひだ状にて形成する床ずれ予防マットレスなので、請求項１、２又は３に記載の考案と同じ効果を有している。
【００２３】
請求項５に記載の考案は、前記硬綿シート材ａと、前記遠赤外線放射綿シート材ｂと前記軟質ウレタン製上方シート材ｃは、前記硬綿シート材ａを４ｃｍ、前記遠赤外線放射綿シート材ｂを１ｃｍ、前記軟質ウレタン製上方シート材ｃを３ｃｍの厚みにて形成する床ずれ予防マットレスなので、請求項１、２、３又は４に記載の考案と同じ効果を有している。
【図面の簡単な説明】
【００２４】
【図１】本考案床ずれ予防マットレスの斜視図である。
【００２５】
【図２】本考案床ずれ予防マットレスの使用状態を示す縦断正面図である。
【００２６】
【図３】本考案床ずれ予防マットレスを構成する硬綿シート材と不織布の一部切欠拡大正面図である。
【００２７】
【図４】本考案床ずれ予防マットレスを構成する硬綿シート材と不織布の一部切欠拡大正面図である。
【００２８】
【図５】本考案床ずれ予防マットレスをベッド上にてリクライニングした状態の斜視図である。
【００２９】
【図６】本考案床ずれ予防マットレスの使用状態を示す正面図である。
【００３０】
【図７】本考案床ずれ予防マットレスリクライニングをしたときの状態を示す正面図である。
【考案を実施するための最良の形態】
【００３１】
本考案の請求項１〜５の考案の実施の形態は共通しているので、以下のとおり一括して説明する。
【００３２】
図において、ａはマットレスｍを構成する構成部材である。
【００３３】
ｂは前記硬綿シート材ａの上方部に敷く遠赤外線放射綿シート材である。
【００３４】
ｃは前記遠赤外線放射綿シート材ｂの上方部に敷く軟質ウレタン製上方シート材である。
【００３５】
本考案のマットレスｍは、上記３つの構成部材より構成されている。
【００３６】
つぎに前記硬綿シート材ａの実施例について以下のとおり説明する。
【００３７】
断面が四辺形状もしくは正方形状にして、且細長状の固い硬綿１を予め別設する。
【００３８】
そして複数の前記硬綿１を並列せしめた後、並列せしめた複数の硬綿１全体を不織布２をもって被覆する。
【００３９】
さらに、前記のように不織布２を介して被覆せしめた各硬綿１の間隙部３に前記不織布２をたるみを持たせた状態に介在し、且前記各硬綿１間の不織布２を縫合する。そのため前記各硬綿１間に、不織布２がたるんだ状態となっているので、リクライニングをした際に、折曲状態になっても、前記硬綿１はスムーズに折曲する。
【００４０】
以上が硬綿シート材ａの構成である。
【００４１】
つぎに遠赤外線放射綿シート材ｂの実施につき説明する。
【００４２】
前記シート材ｂは、前記硬綿シート材ａの上方部４に載置し使用する。その形状は、前記硬綿シート材ａと同形状にして、厚みは図面図示のとおり薄く形成されている。
【００４３】
さらに、軟質ウレタン製上方シート材ｃの実施につき説明する。
【００４４】
このシート材ｃの大きさは、前記硬綿シート材ａと同じ大きさとし、薄い硬質ウレタン製とする。
【００４５】
以上３つの各シート材ａ、ｂ、ｃを３層に積重し、全体をカバー５にて被し、本考案のマットレスｍを形成する。
【００４６】
また本考案のマットレスｍを構成する各シート材ａの厚みは、通常４ｃｍ、前記シート材ｂの厚みは３ｃｍ、前記シート材ｃの厚みは１ｃｍとする。
【００４７】
ｄはベッドである。
【００４８】
本考案のマットレスｍは、通常のフトンの上に敷いて使用してもよい。
【００４９】
そして本考案のマットレスｍのサイズは、縦１９５ｃｍ×横８３ｃｍ×厚さ８ｃｍとしたものの他外に、縦１９５ｃｍ×横９１ｃｍ×厚さ８ｃｍの２種類とするが限定しない。
【００５０】
本考案のマットレスｍを使用して測定した結果がある。
【００５１】
例えば７０才男性が仰向けに寝て測定したときの３回測定後の体にかかる圧力の平均値は以下のとおりである。
【００５２】
仰向け時の体にかかる圧力については以下のとおりである。
【００５３】
仙骨部  １５ｍｍｈｇ
【００５４】
胸椎  １３．７ｍｍｈｇ
【００５５】
一般的には、３２ｍｍｈｇの圧力が２時間続くと床ずれが発生すると云われているのに、本考案のマットレスｍは、床ずれ予防効果が十分に発揮できる。
【００５６】
さらに、３０度リクライニングしたときの体にかかる圧力について説明すると以下のとおりである。
【００５７】
仙骨部  ９ｍｍｈｇ
【００５８】
胸部  ８．１ｍｍｈｇ
【００５９】
上記の数値が示すとおり本考案のマットレスｍの測定値であるがために、床ずれ予防効果は十分に発揮できる。
【００６０】
さらに本考案のマットレスｍを構成する硬綿シート材ａは、断面が四辺形状もしくは正方形状にて形成され、且全体を不織布２で被覆し、且各硬綿１の間隙部３にたっぷり余裕を持たせて縫合せ、前記各硬綿１を包み込んでいるので、個々の硬綿１が自由に移動したりしない。
【００６１】
さらに各硬綿１間には、隙き間があって、空気が自由に往来する構造なので、湿気が貯溜しない。そのため、湿気のないマットレスｍとして使用ができる。従って製品価値をも著しく高めることができる。
【００６２】
ｓはマットレスｍに寝ている使用者である。
【００６３】
本考案の床ずれ予防マットレスｍを使用すると、前記マットレスｍに対し使用者ｓの部分的に圧力が加わり続ける。
【００６４】
しかし、前記硬綿シート材ａを構成するカバーが、断面が４辺形状もしくは正方形状になっているがために、圧力が硬綿１の上面部６から左側面部７と右側面部８へと使用者ｓの体圧を適宜分散せしめて体圧を弱める。そのため使用者ｓの体圧が弱められることによって、血流が良好となって改善される。
【００６５】
そのとき、前記遠赤外線放射綿シート材ｂから遠赤外線が放射されて、使用者ｓの背中やでん部、仙骨周辺の血液の流れを改善し、前記した体圧分散と血流の改善の相乗的により、床ずれを予防できる。
【符号の説明】
【００６６】
ｍ      マットレス
ａ      硬綿シート材
ｂ      遠赤外線放射綿シート材
ｃ      上方シート材
ｄ      ベッド
ｓ      使用者
１      硬綿
２      不織布
３      間隙部
４      上方部
５      カバー
６      上面部
７      左側面部
８      右側面部
【図１】
0003152665.tif 000003
【図２】
0003152665.tif 000004
【図３】
0003152665.tif 000005
【図４】
0003152665.tif 000006
【図５】
0003152665.tif 000007
【図６】
0003152665.tif 000008
【図７】
0003152665.tif 000009